(57)【特許請求の範囲】
【請求項１】
入力された宛先を登録する登録手段と、
登録された宛先の数が閾値未満の場合に自装置の操作のための第１の画像を含む第１の操作画像を表示し、
前記登録された宛先の数が前記閾値以上の場合に前記登録された宛先と前記第１の画像より表示サイズが小さい自装置の操作のための第２の画像を含む第２の操作画像を表示する表示手段と
を有する画像形成装置。
【請求項２】
前記第１の画像は前記第２の画像を説明する文字と、前記第２の画像の一部を含む画像からなる
ことを特徴とする請求項１に記載の画像形成装置。
【請求項３】
前記第１の操作画像は、自装置の複数の操作のための複数の画像を含み、
前記第２の操作画像は、前記複数の画像より数の少ない予め定められた自装置の操作のための画像を含む
ことを特徴とする請求項１に記載の画像形成装置。
【請求項４】
前記第２の操作画像に含まれる自装置の操作のための画像であって、前記第１の操作画像に含まれない画像は、前記登録された宛先の数が前記閾値以上である場合に実行できない自装置の操作のための画像である
ことを特徴とする請求項３に記載の画像形成装置。
【請求項５】
前記表示手段は、前記第２の画像を表示する以前に、前記第１の画像と前記第２の画像を補完する少なくとも１つの画像を表示する
ことを特徴とする請求項１乃至４に記載の画像形成装置。
【請求項６】
画像形成装置に備えられたコンピュータを、
入力された宛先を登録する登録手段、
登録された宛先の数が閾値未満の場合に自装置の操作のための第１の画像を含む第１の操作画像を表示し、
前記登録された宛先の数が前記閾値以上の場合に前記登録された宛先と前記第１の画像より表示サイズが小さい自装置の操作のための第２の画像を含む第２の操作画像を表示する表示手段、
として機能させることを特徴とするプログラム。
【発明の詳細な説明】
【技術分野】
【０００１】
本発明は、画像形成装置及びプログラムに関する。
【背景技術】
【０００２】
従来、ファクシミリや複合機などの画像形成装置に備えられたタッチパネルなどの表示手段には、例えばファクシミリの入力済み宛先等の入力項目やアドレス帳呼び出しアイコンなどの機能アイコンが表示される。その際、入力項目は複数になることもある。
【０００３】
なお、下記特許文献１には、電子機器の設定に関するメニュー画面のメニュー項目表示方法が記載されている。この表示方法によると、ユーザの誤操作等を含む使用状況に応じてメニュー項目の表示順序や表示大きさの変更が行われ、メニュー画面の利便性向上が期待される。
【先行技術文献】
【特許文献】
【０００４】
【特許文献１】特開２００６−３０９４２９号公報
【発明の概要】
【発明が解決しようとする課題】
【０００５】
しかし、画像形成装置に備えられた表示手段は表示領域が制限されており、表示できる入力項目数や機能アイコンの数が限られている。
【０００６】
そのため、入力項目の表示領域の確保を追求すれば表示手段の全表示領域を圧迫することになり、画像形成装置の操作性を犠牲にすることになる。また、その逆もいえる。
【０００７】
そこで、本発明は、画像形成装置の操作性を確保するとともに入力項目の表示領域を確保する画像形成装置及びプログラムの提供を目的とする。
【課題を解決するための手段】
【０００８】
上記課題を解決するために、請求項１に記載の画像形成装置は、項目を入力する入力手段と、前記入力手段で入力された項目の数が閾値未満の場合に、前記項目と自装置の操作のための第１の画像を含む第１の操作画像を表示し、前記項目の数が前記閾値以上の場合に、前記項目と前記第１の画像より表示サイズが小さい自装置の操作のための第２の画像を含む第２の操作画像を表示する表示手段と、を備えることを特徴とする。
【０００９】
また、請求項２に記載の発明は、前記第１の画像は前記第２の画像を説明する文字と、前記第２の画像の一部を含む画像からなることを特徴とする請求項１に記載の画像形成装置である。
【００１０】
また、請求項３に記載の発明は、前記第１の操作画像は、自装置の複数の操作のための複数の画像を含み、前記第２の操作画像は、前記複数の画像より数の少ない予め定められた自装置の操作のための画像を含むことを特徴とする請求項１に記載の画像形成装置である。
【００１１】
また、請求項４に記載の発明は、前記第２の操作画像に含まれる自装置の操作のための画像であって、前記第１の操作画像に含まれない画像は、前記項目の数が前記閾値以上である場合に実行できない自装置の操作のための画像であることを特徴とする請求項３に記載の画像形成装置である。
【００１２】
また、請求項５に記載の発明は、前記表示手段は、前記第２の画像を表示する以前に、前記第１の画像と前記第２の画像を補完する少なくとも１つの画像を表示することを特徴とする請求項１乃至４に記載の画像形成装置である。
【００１３】
また、請求項６に記載の発明は、画像形成装置に備えられたコンピュータを、項目を入力する入力手段、前記入力手段で入力された項目の数が閾値未満の場合に、前記項目と自装置の操作のための第１の画像を含む第１の操作画像を表示し、前記項目の数が前記閾値以上の場合に、前記項目と前記第１の画像より表示サイズが小さい自装置の操作のための第２の画像を含む第２の操作画像を表示する表示手段、として機能させることを特徴とするプログラムである。
【発明の効果】
【００１４】
請求項１及び６に記載の発明によれば、本構成を有していない場合に比較して、画像形成装置の操作性を確保するとともに入力項目の表示領域を確保することができる。
【００１５】
請求項２に記載の発明によれば、本構成を有していない場合に比較して、第１の画像と第２の画像に関連付けられた画像形成装置の操作が把握しやすくなる。
【００１６】
請求項３に記載の発明によれば、本構成を有していない場合に比較して、画像形成装置の複数の機能とそれぞれ関連する複数の画像を表示する場合にも、表示する画像の数を減らすことで、入力項目の表示領域を確保することができる。
【００１７】
請求項４に記載の発明によれば、本構成を有していない場合に比較して、画像形成装置の実行できない操作のための画像を表示しないことで、入力項目の表示領域を確保することができる。
【００１８】
請求項５に記載の発明によれば、本構成を有していない場合に比較して、第１の画像と第２の画像の関連が把握しやすくなり、画像形成装置の操作性を確保することができる。
【図面の簡単な説明】
【００１９】
【図１】本発明の実施形態に係る画像形成装置を示すブロック図である。
【図２】本発明の実施形態に係る画像形成装置における操作画像の例を示す図である。
【図３】本発明の実施形態に係る画像形成装置における記憶部の内容例を示す図である。
【図４】本発明の実施形態に係る画像形成装置における画像レイアウトの例を示す図である。
【図５】本発明の実施形態に係る画像形成装置におけるアイコン画像の例を示す図である。
【図６】本発明の実施形態に係る画像形成装置での表示プログラムの処理例を示すフローチャート図である。
【図７】本発明の実施形態に係る画像形成装置におけるアイコン画像の時間変化の例を示す図である。
【図８】本発明の実施形態に係る画像形成装置における２つの操作画像を補完する複数の画像の例を示す図である。
【発明を実施するための形態】
【００２０】
以下、本発明の実施の形態について、図面を参照しながら説明する。
【００２１】
図１は、本発明の実施の形態に係る複合機１の構成例を示す図である。複合機１は、図１に示すように、複合機本体部１００と、制御部２００、記憶部３００、入力部４００、表示部５００を含んで構成されている。なお、制御部２００と、記憶部３００、入力部４００、表示部５００は一体となってコンピュータとして機能する。
【００２２】
ここで、複合機本体部１００は複写機、プリンタ、スキャナ、ファクシミリ等の機能を持った部分を含んで構成されている。複合機本体部１００は通信回線２に接続され、印刷ジョブの送受信やファクシミリの送受信を行う。
【００２３】
制御部２００は、例えばCPU（Central Processing Unit）を含んでおり、記憶部３００に格納されているプログラムを実行することにより、複合機１の全体を制御する。また、制御部２００は記憶部３００に格納された表示情報に基づき、表示プログラムを実行することにより、第１表示制御部２１０と第２表示制御部２２０の機能である操作画像の生成及び表示部５００への表示の制御を行う。この表示プログラムの処理の具体的な内容については後に詳細に説明する。
【００２４】
記憶部３００は、例えばRAM（Random Access Memory）やROM（Read Only Memory）を含んでいる。記憶部３００は制御部２００が実行するプログラムを格納するとともに、制御部２００のワークメモリとしても機能する。本実施の形態では、記憶部３００は上述した表示情報を記憶する表示情報記憶部３１０を含む。なお、記憶部３００に格納される制御部２００が実行するプログラムは、電気通信回線を介して提供されるものであってもよいし、半導体記憶素子等のコンピュータで読み取り可能な情報記憶媒体に格納されて提供されるものであってもよい。
【００２５】
入力部４００は、ユーザの指示を制御部２００に出力する。本実施の形態では、入力部４００は物理キー４１０とタッチパネル４２０を含んでいる。
【００２６】
表示部５００は、例えば液晶ディスプレイであり、ユーザが複合機１を操作するために必要な情報等を表示する。本実施の形態では、表示部５００と入力部４００に含まれるタッチパネル４２０が一体となってユーザインターフェースを構成し、表示部５００上に表示されたアイコン画像をタップすることにより複合機１の操作を行う。
【００２７】
ここで、「タップ」とは、タッチパネルを指先で軽く叩く動作を意味する。本実施の形態のように、表示部５００とタッチパネル４２０が一体となってユーザインターフェースを構成する場合、指先が触れた位置に表示されているアイコン画像がタップ動作により指定されたとして、当該アイコン画像に関連した複合機１の機能が呼び出される。
【００２８】
図２（ａ）は、本実施の形態において第１表示制御部２１０によって生成され、表示部５００に表示される第１操作画像６００を示すものである。図中の縦軸と横軸は、画像表示座標の基準線を表す。ここで、表示座標において用いられているｘ１−ｘ５、ｙ１−ｙ５の符号は予め定められた数値を表すものとする。
【００２９】
本実施の形態においては、全ての画像は矩形で、画像は基準線と平行に配置されるものとし、画像表示座標は矩形の左上頂点の座標を指定するものとする。その他に、例えば円形の画像を用いるのであれば、画像表示座標の基準点を円の中心などとしてもよい。
【００３０】
第１操作画像６００は、宛先表示欄６１０と、宛先登録ボタン６２０、短縮ダイヤルアイコン（サイズ大）６３０、アドレス帳アイコン（サイズ大）６４０、オンフックアイコン６５０を含んでいる。第１操作画像６００において表示される画像として、この他に例えば複合機の設定に関するアイコン等を含んでいてもよい。
【００３１】
宛先表示欄６１０には、例えば「Enter Number」などの文字が表示され、ユーザが物理キー４１０を用いて数字を入力すると、その数字が宛先表示欄６１０に表示される。
【００３２】
また、本実施の形態において、短縮ダイヤルアイコン（サイズ大）６３０はファクシミリの短縮ダイヤル機能に関連し、アドレス帳アイコン（サイズ大）６４０はアドレス帳機能、オンフックアイコン６５０はオンフック機能に関連する。これらの機能アイコンをタップすると、関連するファクシミリ機能が実行される。
【００３３】
ここで、短縮ダイヤル機能とは、頻繁に使用する宛先の入力を省略するための機能で、４桁程度の番号で宛先を代替する機能である。アドレス帳機能とは、宛先を氏名もしくは名称等とともに記憶部３００に格納し、例えば五十音順に索引を付け、宛先の管理および検索を容易にする機能である。また、オンフック機能とは、電話機の受話器を置いた状態（オンフック状態）のまま発信する機能であり、受話器を有さない複合機の場合は当該機能実行後に入力した宛先に向けてファクシミリ等を送信する機能である。
【００３４】
宛先表示欄６１０に宛先が入力された状態で宛先登録ボタン６２０をタップし、登録された宛先件数が１件以上になると、以下に説明する第２操作画像７００に表示が切り替わる。この際、当該宛先は記憶部３００に一時的に格納され、ファクシミリの送信処理が完了するまで保持される。
【００３５】
図２（ｂ）は、本実施の形態における第２操作画像７００を示すものである。第２操作画像７００は、宛先表示欄６１０と、宛先登録ボタン６２０、短縮ダイヤルアイコン（サイズ小）７１０、アドレス帳アイコン（サイズ小）７２０、宛先確認欄７３０を含んでいる。
【００３６】
第２操作画像７００は第１操作画像６００の場合に比べて機能アイコンの表示サイズが小さく、オンフックアイコン６５０を含まず、ファクシミリの操作に関連したアイコンの数が３つから２つに減っている。オンフック機能は、上述のように当該機能実行後に入力した宛先１件に向けてファクシミリを送信する機能であり、送信宛先が２件以上ある場合には実行できない機能となっている。なお、本実施の形態では第２操作画像７００においてオンフックアイコン６５０が表示されないこととしたが、表示されない機能アイコンをユーザが設定することとしてもよい。
【００３７】
第１操作画像６００では宛先表示欄６１０に入力中の宛先しか表示されなかったのに対し、第２操作画像７００では登録済みの宛先４件が宛先確認欄７３０に表示されている。この表示状態は、ユーザが既に４件の宛先を登録した場合を表している。仮にさらに宛先を追加登録した場合、例えば宛先確認欄７３０にスクロールバーが現れ、宛先確認欄７３０をスクロールすることで全ての登録済み宛先を閲覧できるようにしてもよい。
【００３８】
制御部２００は、第１操作画像６００もしくは第２操作画像７００の生成にあたって、記憶部３００の表示情報記憶部３１０に格納された情報に基づいて処理を行う。本実施の形態において表示情報記憶部３１０に格納されている情報の具体例を、図３に示した。
【００３９】
本実施の形態において、表示情報記憶部３１０は、第１操作画像レイアウト記憶部３１１、第２操作画像レイアウト記憶部３１２、機能アイコン画像記憶部３１３を含む。
【００４０】
図４（ａ）に示すように、第１操作画像レイアウト記憶部３１１は第１操作画像レイアウト情報を格納する。当該情報は宛先表示欄６１０と、宛先登録ボタン６２０、短縮ダイヤルアイコン（サイズ大）６３０、アドレス帳アイコン（サイズ大）６４０、オンフックアイコン６５０の表示座標及び表示サイズを表したものである。図４（ｂ）に示す第２操作画像レイアウト記憶部３１２に格納された第２操作画像レイアウト情報についても同様である。
【００４１】
また、図５は機能アイコン画像記憶部３１３の内容例を示す。機能アイコン画像記憶部３１３は、第１操作画像６００もしくは第２操作画像７００を生成する際に用いられる機能アイコンの画像情報を格納する。
【００４２】
本実施の形態において、第１操作画像６００を生成する際に用いられる短縮ダイヤルアイコン（サイズ大）６３０、アドレス帳アイコン（サイズ大）６４０、オンフックアイコン６５０の各画像は文字と図からなる。また、第２操作画像７００を生成する際に用いられる短縮ダイヤルアイコン（サイズ小）７１０、アドレス帳アイコン（サイズ小）７２０の各画像は図のみからなる。
【００４３】
ここで、短縮ダイヤルアイコン（サイズ大）６３０は「Speed Dial」の文字と短縮ダイヤルアイコン（サイズ小）７１０を切り出した図からなり、当該文字は短縮ダイヤルアイコン（サイズ小）７１０を説明するものとなっている。この他に、短縮ダイヤルアイコン（サイズ大）６３０に含まれる図として、例えば短縮ダイヤルアイコン（サイズ小）７１０を拡大、縮小、回転、透過処理等施したものを用いてもよいし、それらの一部を切り出した図を用いてもよい。アドレス帳アイコン（サイズ大）６４０についても同様である。
【００４４】
また、例えば文字のみによってファクシミリ機能を表現し、小さい画像サイズにおいては略称を用いるなどしてもよい。
【００４５】
機能アイコン画像記憶部３１３は遷移アニメーションを生成する際に用いられるアイコンのモーフィング画像も格納する。本実施の形態では、第１操作画像６００において表示されるアイコン画像と第２操作画像７００において表示されるアイコン画像を補完する画像として３枚の画像を用意したが、１枚以上であれば何枚であってもよい。ただし、制御部２００の処理能力と記憶部３００の容量が許すのであれば、滑らかなモーフィングを得るために複数枚の画像を用意することが望ましい。本実施の形態におけるモーフィングの様子は後述する。
【００４６】
図６は、本実施の形態に係る複合機のファクシミリ機能を呼び出した際、制御部２００で実行される表示プログラムの処理をフローチャート図により示したものである。以下で当該処理の具体的な流れを図６の記載に沿って説明する。
【００４７】
はじめに、制御部２００に含まれる第１表示制御部２１０は、記憶部３００の表示情報記憶部３１０に格納されているアイコン画像情報及び第１操作画像レイアウト情報を読み込み（Ｓ１００）、第１操作画像６００を生成し、表示部５００を用いて第１操作画像６００を表示する処理を行う（Ｓ２００）。なお、制御部２００は、はじめに第１操作画像６００と異なる画像を表示し、ユーザからの要求があった場合に第１操作画像６００を表示することにしてもよい。
【００４８】
次に、制御部２００は、ユーザが入力部４００を用いて情報を入力するまで待機する（Ｓ３００）。一定時間経過しても入力が無い場合、表示部５００のバックライトを消灯するなどしてもよい。
【００４９】
ユーザからの入力が検出された場合、制御部２００は、その入力が物理キー４１０による数字の入力か判断する（Ｓ４００）。入力が物理キー４１０による数字の入力であった場合、入力された数字を第１操作画像６００中の宛先表示欄６１０に表示する処理を行い（Ｓ４１０）、その後、制御部２００は別の入力を検出するまで待機する処理に戻る（Ｓ３００）。
【００５０】
入力が物理キー４１０による数字の入力でなかった場合、制御部２００は、その入力が第１操作画像６００中の宛先登録ボタン６２０をタップすることにより行われたものか判断する（Ｓ５００）。入力が宛先登録ボタン６２０のタップにより行われた場合、宛先表示欄６１０に表示中の宛先を記憶部３００に一時的に格納する（Ｓ５１０）。
【００５１】
続いて、制御部２００は宛先登録ボタン６２０がタップされる以前の宛先登録件数を１と比較する（Ｓ５２０）。そこで、当該宛先登録件数が１より少なかった場合、制御部２００に含まれる第２表示制御部２２０は、記憶部３００の表示情報記憶部３１０に含まれるアイコン画像情報及び第２操作画像レイアウト情報を読み込み（Ｓ５２１）、遷移アニメーションを生成し、表示部５００を用いて遷移アニメーションを表示する処理を行い（Ｓ５２２）、第２操作画像７００を表示する処理を行う（Ｓ５２３）。その後、制御部２００は別の入力を検出するまで待機する処理に戻る（Ｓ３００）。
【００５２】
一方、当該宛先登録件数が１以上であった場合、第２操作画像７００中の宛先確認欄７３０に登録された宛先を追加した画像を生成し、表示部５００を用いて更新された第２操作画像７００を表示する処理を行う（Ｓ５３０）。その後、制御部２００は別の入力を検出するまで待機する処理に戻る（Ｓ３００）。
【００５３】
入力があったが、その入力が物理キー４１０による数字の入力でなく、宛先登録ボタン６２０をタップすることにより行われたものでもない場合、制御部２００は、第１操作画像６００もしくは第２操作画像７００中の機能アイコンがタップされることにより行われたものか判断する（Ｓ６００）。入力が機能アイコンのタップにより行われた場合、当該機能アイコンに対応するファクシミリの機能を実行する（Ｓ６１０）。
【００５４】
入力が上記の何れにも該当しなかった場合、制御部２００は物理キー４１０によるファクシミリ機能終了指令が行われたか判断する（Ｓ７００）。ファクシミリ機能終了指令があった場合、制御部２００はファクシミリ機能を終了させる処理を行い、例えば複合機の総合メニュー画面などを表示する処理を行う。一方、ファクシミリ機能終了指令が行われたのではない場合、制御部２００は、新たな入力を検出するまで待機する処理に戻る（Ｓ３００）。
【００５５】
図７は、記憶部３００の機能アイコン画像記憶部３１３に含まれる機能アイコンのモーフィング画像を用いたモーフィングの様子を示す。
【００５６】
第１操作画像６００において表示される短縮ダイヤルアイコン（サイズ大）６３０と、第２操作画像７００において表示される短縮ダイヤルアイコン（サイズ小）７１０の間には、画像サイズがやや小さくなった短縮ダイヤルアイコン（サイズ中１）６３１と、画像サイズがさらに小さくなって図がせり出してきた短縮ダイヤルアイコン（サイズ中２）６３２、文字が図によってほとんど隠された短縮ダイヤルアイコン（サイズ中３）６３３の３枚がモーフィング画像として用意されている。アドレス帳アイコン（サイズ大）６４０についても同様である。
【００５７】
当該モーフィング画像を図７に記載した時間経過軸に沿って表示することにより、第２表示制御部２２０は遷移アニメーションを生成する。ここで、機能アイコンの遷移アニメーションを生成する際、どのような時間間隔で画像を切替えてもよいが、モーフィングによる変化の様子が視認できる程度の時間間隔であることが望ましい。
【００５８】
図８は、本実施の形態において、第２表示制御部２２０が生成し、表示部５００に表示する遷移アニメーションを示す。以下において、当該アニメーションの流れを説明する。
【００５９】
図８（ａ）は、第１操作画像６００においてユーザが１件の宛先を入力した状態を示す。ここで、ユーザが宛先登録ボタン６２０をタップすることを契機として、第２表示制御部２２０は表示情報記憶部３１０に含まれる第２操作画像レイアウト情報及び機能アイコン画像情報を読み込み、遷移アニメーションの生成を開始する。
【００６０】
図８（ｂ）は、遷移アニメーションの第１コマを示す。ここで、オンフックアイコン６５０が消去される。なお、機能アイコンの消去は、第２コマ以降における他の画像処理と同時に行ってもよいし、例えばアイコン画像に透過処理を施すことにより段階的に消えていくことにしてもよい。
【００６１】
図８（ｃ）は、遷移アニメーションの第２コマを示す。ここで、アイコンが短縮ダイヤルアイコン（サイズ中１）６３１とアドレス帳アイコン（サイズ中１）６４１に変わり、表示座標が移動する。なお、機能アイコンのサイズ変更と表示座標の移動は同時に行われなくてもよいし、どのような順序で行われてもよい。
【００６２】
図８（ｄ）は、遷移アニメーションの第３コマを示す。ここで、アイコンが短縮ダイヤルアイコン（サイズ中２）６３２とアドレス帳アイコン（サイズ中２）６４２に変わり、表示座標の移動が完了する。
【００６３】
図８（ｅ）は、遷移アニメーションの第４コマを示す。ここで、アイコンが短縮ダイヤルアイコン画像（サイズ中３）６３３とアドレス帳アイコン画像（サイズ中３）６４３に変わり、同時に宛先確認欄７３０が表示される。
【００６４】
図８（ｆ）は、遷移アニメーションの最終コマである第５コマを示す。ここで、宛先確認欄７３０に向けて、登録した宛先がスライドする。また、アイコンが短縮ダイヤルアイコン（サイズ小）７１０とアドレス帳アイコン（サイズ小）７２０に変わる。
【００６５】
図８（ｇ）は、宛先が１件登録された状態の第２操作画像７００を示す。ユーザがさらに宛先を入力し、宛先登録ボタン６２０をタップした際には、当該登録された宛先が宛先確認欄７３０に順次追加表示されていく。
【００６６】
以上により、本実施の形態に係る複合機におけるファクシミリ機能の状況に応じた操作画像の切り替えが行われる。
【００６７】
なお、本発明の実施の形態は以上に説明したものに限られない。例えば、複合機１は以上に説明したファクシミリ機能以外の機能においても、状況に応じて操作画像の切り替えを行うこととしてもよい。
【符号の説明】
【００６８】
１  複合機、２  通信回線、１００  複合機本体部、２００  制御部、２１０  第１表示制御部、２２０  第２表示制御部、３００  記憶部、３１０  表示情報記憶部、３１１  第１操作画像レイアウト記憶部、３１２  第２操作画像レイアウト記憶部、３１３  機能アイコン画像記憶部、４００  入力部、４１０  物理キー、４２０  タッチパネル、５００  表示部、６００  第１操作画像、６１０  宛先表示欄、６２０  宛先登録ボタン、６３０  短縮ダイヤルアイコン（サイズ大）、６３１  短縮ダイヤルアイコン（サイズ中１）、６３２  短縮ダイヤルアイコン（サイズ中２）、６３３  短縮ダイヤルアイコン（サイズ中３）、６４０  アドレス帳アイコン（サイズ大）、６４１  アドレス帳アイコン（サイズ中１）、６４２  アドレス帳アイコン（サイズ中２）、６４３  アドレス帳アイコン（サイズ中３）、６５０  オンフックアイコン、７００  第２操作画像、７１０  短縮ダイヤルアイコン（サイズ小）、７２０  アドレス帳アイコン（サイズ小）、７３０  宛先確認欄。
【要約】
【課題】画像形成装置の操作性を確保するとともに入力項目の表示領域を確保する画像形成装置及びプログラムを提供する。
【解決手段】入力手段で入力された項目の数が閾値未満の場合に、前記項目と自装置の操作のための第１の画像を含む第１の操作画像を表示する。一方、前記項目の数が前記閾値以上の場合に、前記項目と前記第１の画像より表示サイズが小さい自装置の操作のための第２の画像を含む第２の操作画像を表示する。
【選択図】図２【図１】
0005418713.tif 000002
【図２】
0005418713.tif 000003
【図３】
0005418713.tif 000004
【図４】
0005418713.tif 000005
【図５】
0005418713.tif 000006
【図６】
0005418713.tif 000007
【図７】
0005418713.tif 000008
【図８】
0005418713.tif 000009